(57)【要約】【課題】簡単な構造のカット刃で皮膚を傷つけることなく耳や鼻内の毛を切断し、かつ、耳や鼻内を清潔に保つ毛のカット具を提供する。【解決手段】線材あるいは板体を螺旋円筒状に巻き回すか、網目板を円筒状に巻き回して形成したプロテクター５内に、プロテクター５の長さ方向にそい、かつ、円周の接線方向に複数枚のカット刃６を配設するとともに各カット刃６の刃先７は同じ方向に向けたカット部２と、このカット部２の一端に設けた柄部３とからなり、プロテクター５を耳や鼻の中に入れ、一方向に回転させるか反転させて、カット刃６により毛を切断する。。【選択図】図１
2005211357.tif 000002
【特許請求の範囲】
【請求項１】
円筒状としたプロテクター５内に、プロテクター５の長さ方向にそい、かつ、円周の接線方向に複数枚のカット刃６を配設するとともに各カット刃６の刃先７は同じ方向に向けたカット部２と、このカット部２の一端に設けた柄部３とからなることを特徴とする毛のカット具。
【請求項２】
プロテクター５は、線材４を螺旋円筒状に巻き回したものである請求項１に記載する毛のカット具。
【請求項３】
プロテクター５は、板体９を螺旋円筒状に巻き回したものである請求項１に記載する毛のカット具。
【請求項４】
プロテクター５は、網目板１０を円筒状に巻き回したものである請求項１に記載する毛のカット具。
【請求項５】
カット刃６の刃先７は、長さ方向片側に形成したものである請求項１乃至４に記載する毛のカット具。
【請求項６】
カット刃６の刃先７は、長さ方向両側に形成したものである請求項１乃至４に記載する毛のカット具。
【発明の詳細な説明】
【技術分野】
【０００１】
本発明は毛のカット具に関し、特に、耳孔や鼻孔内の毛を切り取るあるいは剃り取るとともに耳や鼻内を綺麗にすることができる毛のカット具に関するものである。
【背景技術】
【０００２】
耳孔や鼻孔内には毛が生えており、この毛は埃を捕集する効能を有しているので必ずしも無駄なものではない。しかし、長く伸びて外部から見えたり、孔の外に伸び出るのは周りの者に不潔感や不快感を与えるものである。このため定期的にあるいは適当な時期に毛を切り取る必要がある。
【０００３】
鼻毛は、鏡を見ながら小さな鋏を使用して切り取ることができるが、誤って鋏の先端が皮膚に突き刺さり思わぬ怪我をすることがある。また、耳の中は自分で見ることができないので、毛を切り取る場合には他の人に切ってもらう必要がある。しかし、耳の中は狭く、複雑な構造となっているので、鋏を使用して毛を切り取る際、鼓膜や皮膚を傷つける危険性を有していた。
【特許文献１】特開平７−２２２６９４号
【特許文献２】特開平１１−９４９１号
【発明の開示】
【発明が解決しようとする課題】
【０００４】
そこで、従来、特許文献１、２に示すようなカッターが提供されている。このカッターは、毛をカットするための刃を駆動モータによって回転させ、耳や鼻内の毛を切断するものである。
しかし、これらのカッターは種々の部品を使用して複雑な構造であり、高価なものであり、一般家庭で常備するのは不適当、不経済なものである。また、たとえ親子や兄弟が使用したものであっても、刃には切り取った毛や耳垢、鼻くそ等が付着しており、そのまま使用するのは非衛生的である。
【０００５】
本発明は、極めて簡単なカット構造体で耳や鼻の毛を切り取りあるいは剃り取ることができ、皮膚を傷つけることがなく、しかも自分専用で使用し、使い捨て可能な毛のカット具を提供するものである。
【課題を解決するための手段】
【０００６】
上記の目的を達成するために本発明毛のカット具は、円筒状としたプロテクター５内に、プロテクター５の長さ方向にそい、かつ、円周の接線方向に複数枚のカット刃６を配設するとともに各カット刃６の刃先７は同じ方向に向けたカット部２と、このカット部２の一端に設けた柄部３とからなるものである。
プロテクター５は、線材４あるいは板体９を螺旋円筒状に巻き回したものであり、また、網目板１０を円筒状に巻き回したものである。
カット刃６の刃先７は、長さ方向片側に形成したものであるか、長さ方向両側に形成したものである。
【発明の効果】
【０００７】
本発明毛のカット具は、線材４あるいは板材９を螺旋状に巻き回して円筒状に形成したり網目板１０を円筒状に形成したプロテクター５内に、プロテクター５の長さ方向にそってカット刃６を設け、かつ、複数枚のカット刃６は刃先７を同じ方向に向けて接線方向に配設したので、プロテクター５を耳や鼻の中に入れて刃先７の方向に回転させれば、耳毛や鼻毛はプロテクター５内に入り、カット刃６の刃先７で切断することができる。
【０００８】
カット刃６は、直接、皮膚に接触することがないので傷つけることがない。しかも、プロテクター５の表面が耳孔や鼻孔の皮膚に接触するので、耳垢や鼻くそを掻き取ることになり、毛を切り取ると同時に耳や鼻内を清潔にすることができる。また、皮膚を傷つけることなく耳毛を自分で切り取ることができる。
【０００９】
また、カット刃６は、長さ方向両側に刃先７を形成すれば、プロテクター５は一方向に回転させるだけではなく、反転させることで効率よく毛を切り取ることができる。更に、プロテクター５を回転あるいは反転させる柄部３の一端に綿球１２を設けておくことで、切った毛屑や耳垢、鼻くそ等を取り去ることができ、耳や鼻内を綺麗に保つことができ、衛生的である。
【発明を実施するための最良の形態】
【００１０】
以下、図面に従って本発明の実施の形態を詳細に説明する。
図１、図２は、本発明の一実施形態を示すものであり、カット具本体１は、カット部２と柄部３とからなっている。
カット部２は、合成樹脂材あるいは金属材からなる長形な線材４を螺旋状に巻き回し、全体として円筒形状に形成したプロテクター５と、このプロテクター５内において円周方向に配設した複数枚のカット刃６とで形成されている。
【００１１】
プロテクター５とほぼ同じ長さを有しているカット刃６は、長さ方向片側に刃先７を形成したものであり、例えば、公知のカミソリ刃を使用することができる。各カット刃は、刃先７がプロテクター５の接線方向を向くように配設してあり、この状態を維持するために各カット刃６は、一端を柄部２に固定した丸棒状の保持部材８の周面に固定してある。
【００１２】
図面では拡大して示してあるが、カット部２は、例えば、長さＬは５〜１２ｍｍ、プロテクター５の外径は７〜１０ｍｍ、線材４の太さは１〜３ｍｍ位が望ましいが、耳や鼻内に差し込むことができる大きさを有していれば大きさは任意に選ぶことができる。そして、螺旋を形成する線材４間は、少なくとも耳毛や鼻毛が入り得る隙間があればよい。
【００１３】
合成樹脂材あるいは金属材からなる柄部３は、カット部２の一端側に固定したものであり、カット部２の軸芯にそって延長方向に設けてあり、カット部２を刃先７が向く方向に回転させることができるようになっている。図面では長く形成してあるが、指で持ってカット部２を回転させることができる長さであればよい。
【００１４】
本発明は上記の構成であり、耳や鼻内の毛を切る場合には、柄部３を持ち、カット部２を先端側から耳や鼻に入れればよく、毛は線材４間を通してプロテクター５内に入ることになる。各カット刃６の刃先７は同じ方向を向いているので、カット部２を刃先６が向く方向に回転させれば刃先７で毛を切り取ることができる。
【００１５】
尚、カット刃６は、保持部材８の周面に設けた場合について説明したが、これに限定するものではない。保持部材８を使用することなく、各カット刃６を接線方向に向けて配設し、刃先７とは反対側の基部をプロテクター５の内面に固定してもよい。
【００１６】
図３は、カット部２の他の実施形態を示すものであり、前記の実施形態と同じ部分は同じ符号を使用している。
この実施形態においてはカット部２を形成するプロテクター５は、合成樹脂材あるいは金属材からなる板厚が薄くかつ細長い板体９を螺旋状に巻き回したことに特徴を有している。このようなプロテクター５内に前記と同じように複数枚のカット刃６を設置すれば、耳毛や鼻毛等は根元に近い位置であたかも剃るように切り取ることができる。
【００１７】
尚、上記する各実施形態においてカット刃６は、保持部材８の周面に設けた場合について説明したが、これに限定するものではない。保持部材８を使用することなく、各カット刃６を接線方向に向けて配設し、刃先７とは反対側の基部をプロテクター５の内面に固定してもよい。
【００１８】
図４は、カット部２の更に他の実施形態を示すものであり、前記の各実施形態と同じ部分は同じ符号を使用している。
この実施形態においては、プロテクター５を合成樹脂材あるいは金属材からなる網目板１０によって形成したことに特徴を有している。方形板を打ち抜くことで多数の網目１１を形成することができ、これを円筒状に巻くだけで簡単にプロテクター５を形成することができる。尚、網目１１は、方形網目の他に丸孔状の網目としてもよい。
【００１９】
この実施形態の場合も複数のカット刃６を設けた保持部材８をプロテクター５内に収容するか、各カット刃６の基部を網目板１０の内側に固定すればよく、毛は各網目１１からプロテクター５内に入るので、カット部２を回転させることで耳毛や鼻毛を切り取ることができる。
【００２０】
上記の各実施形態におけるカット具本体１は、耳や鼻内の毛を切るだけである。しかし、切断された小さな毛屑が耳や鼻の中に残っていることがある。このため、図４に鎖線で示すように柄部３の一端に綿球１２を付けることにより、綿球１２で毛屑や耳垢、鼻くそ等を取り除き、耳や鼻内を綺麗にすることができる。綿球１２としては従来の綿棒に使用するものが使用可能である。また、図４に示すように、プロテクター５の先端にキャップ１３を取り付けておけば、カット部２を耳や鼻内に入れた時、引っかかることなく入れやすくなる。尚、綿球１２やキャップ１３を取り付けることは図１、図３の場合も同じである。
【００２１】
前記する各実施形態では、複数のカット刃６は、片側にのみ切断用の刃先７を形成した場合である。従って、カット部２は一方向に回転するのみである。図５は、カット刃６の他の実施形態を示すものである。この実施形態では、各カット刃６の両側に刃先７を形成したことに特徴を有している。このような構成としたことにより、プロテクター５内に収容した時、カット部２は反転させて毛を切り取ることができ、切り取り操作がしやすくなる。
【産業上の利用可能性】
【００２２】
本発明毛のカット具は、身体の衛生に関係するものであるから、医療器具メーカーや衛生器材メーカー等が生産可能である。消費材であるので、大量に生産して廉価に提供でき、一般商店において商品購入者に対するサービス品として提供可能である。また、カミソリ刃のようなカット刃６を使用することで刃物メーカーの受注が増えることになる。
【図面の簡単な説明】
【００２３】
【図１】本発明カット具の一実施形態を示す正面図である。
【図２】図１に示すカット具の側面図である。
【図３】プロテクターの他の実施形態を示すカット具の正面図である。
【図４】プロテクターの更に他の実施形態を示すカット具の正面図である。
【図５】カット刃の他の実施形態を示す側面図である。
【符号の説明】
【００２４】
１  カット具本体
２  カット部
３  柄部
４  線材
５  プロテクター
６  カット刃
７  刃先
８  保持部材
９  板体
１０  網目板
１１  網目
１２  綿球
１３  キャップ
【図１】
2005211357.tif 000003
【図２】
2005211357.tif 000004
【図３】
2005211357.tif 000005
【図４】
2005211357.tif 000006
【図５】
2005211357.tif 000007